(57)【要約】【課題】特に、上部が前面に傾斜する熱交換器に取り付けられたパイプカバーにより確実に凝縮水を処理できる床置式空気調和機を提供することを課題とする。【解決手段】本発明の床置式空気調和機は、吸込グリル及び吹出部を有する本体と、本体内に位置し、上部を本体の前面側、下部を本体の背面側に傾斜するように配置された熱交換器と、熱交換器の下方に位置する凝縮水受皿と、熱交換器の端部に位置するパイプから滴下した凝縮水を凝縮水受皿に誘導するパイプカバーと、熱交換器と熱交換した室内空気を吹出部より送風する室内ファンとを備え、パイプカバーは、パイプと本体の前面側との間に位置し、パイプに対向する面が樋として機能することによりパイプから滴下した凝縮水を凝縮水受皿に誘導し、パイプカバーのパイプに対向する面には切り欠き穴が形成されない。【選択図】  図５
2012072924.tif 000002
【特許請求の範囲】
【請求項１】
吸込グリル及び吹出部を有する本体と、
前記本体内に位置し、上部を前記本体の前面側、下部を前記本体の背面側に傾斜するように配置された熱交換器と、
前記熱交換器の下方に位置する凝縮水受皿と、
前記熱交換器の端部に位置するパイプから滴下した凝縮水を前記凝縮水受皿に誘導するパイプカバーと、
前記熱交換器と熱交換した室内空気を前記吹出部より送風する室内ファンと、を備え、
前記パイプカバーは、前記パイプと前記本体の前面側との間に位置し、前記パイプに対向する面が樋として機能することにより前記パイプから滴下した凝縮水を前記凝縮水受皿に誘導し、
前記パイプカバーの前記パイプに対向する面には切り欠き穴が形成されない床置式空気調和機。
【請求項２】
請求項１において、前記パイプカバーは前記パイプに対向する面に取付爪を備え、前記取付爪が前記パイプを挟み込むことにより前記パイプカバーを前記パイプに固定する床置式空気調和機。
【請求項３】
請求項１において、前記パイプカバーは前記パイプに対向する面の側面から前記パイプに向かうように形成された取付爪を備え、前記取付爪を前記熱交換器のフィンとプレートとの間で且つ上下に連続する前記パイプの間に挿入することにより前記パイプカバーを前記パイプに固定する床置式空気調和機。
【請求項４】
請求項３において、前記取付爪は、先端部が山状に形成され、内部を貫通する開口を有し、前記パイプに対向する位置に窪み部を有する床置式空気調和機。
【発明の詳細な説明】
【技術分野】
【０００１】
本発明は床置式空気調和機に関する。
【背景技術】
【０００２】
従来の壁掛式空気調和機として、熱交換器の側面に取り付けられたパイプカバーの前面に湿度センサを取り付けることにより、室内の空気を適度な量だけセンサに導くようにするものがある（例えば、特許文献１（要約）参照）。
【先行技術文献】
【特許文献】
【０００３】
【特許文献１】特開平１０−９６５４７号公報
【発明の概要】
【発明が解決しようとする課題】
【０００４】
特許文献１は、パイプカバーの前面に湿度センサを取り付けることを開示するが、パイプカバーにおける凝縮水の処理については考慮されていない。特に、熱交換器上部が前面側に傾斜している空気調和機の場合、パイプカバーの前面に取り付けられた湿度センサに水滴が付着する可能性がある。また、湿度センサの取り付け構造によっては、付着した水滴が滴下する可能性もある。
【０００５】
本発明は、特に、上部が前面に傾斜する熱交換器に取り付けられたパイプカバーにより確実に凝縮水を処理できる床置式空気調和機を提供することを課題とする。
【課題を解決するための手段】
【０００６】
本発明の床置式空気調和機は、吸込グリル及び吹出部を有する本体と、本体内に位置し、上部を本体の前面側、下部を本体の背面側に傾斜するように配置された熱交換器と、熱交換器の下方に位置する凝縮水受皿と、熱交換器の端部に位置するパイプから滴下した凝縮水を凝縮水受皿に誘導するパイプカバーと、熱交換器と熱交換した室内空気を吹出部より送風する室内ファンとを備え、パイプカバーは、パイプと本体の前面側との間に位置し、パイプに対向する面が樋として機能することによりパイプから滴下した凝縮水を凝縮水受皿に誘導し、パイプカバーのパイプに対向する面には切り欠き穴が形成されない。 
【発明の効果】
【０００７】
本発明によれば、特に、上部が前面に傾斜する熱交換器に取り付けられたパイプカバーにより確実に凝縮水を処理できる床置式空気調和機を提供することができる。
【図面の簡単な説明】
【０００８】
【図１】室内ユニットの外観を示す斜視図。
【図２】室内ユニットの化粧カバーを外した状態を示す斜視図。
【図３】室内ユニットの断面図。
【図４】従来技術のパイプカバーの構造を示す斜視図。
【図５】パイプカバーの構造を示す斜視図。
【図６】パイプカバーを取り付けた状態を示す平面図。
【図７】パイプカバーの構造を示す斜視図。
【図８】熱交換器の構造を示す斜視図。
【図９】従来技術のパイプカバーを取り付けた状態の構造を示す斜視図。
【発明を実施するための形態】
【０００９】
以下、本発明の床置式空気調和機の第１の実施例について、図１−図６を用いて説明する。図１は室内ユニットの外観を示す斜視図である。室内機は、主として、本体の剛性を確保する背面シャーシ１、室内機の前面に意匠面を構成する前面カバー２及び吸込グリル３、室内機の上部に配置された吹出口４により構成される。
【００１０】
図２は前面カバー２及び吸込みグリル３を外した状態の室内ユニットの斜視図である。室内ユニット内の前面側には、吸込グリル３と対向するように、熱交換器６が配置される。また、熱交換器６の両端のパイプには、パイプカバー５ａ及びパイプカバー５ｂが取り付けられる。
【００１１】
図８は熱交換器の構造を示す斜視図である。熱交換器６は、パイプ１４，フィン１３、及びプレート１６を備える。熱交換器６のパイプ１４の中には冷媒が流れ、この冷媒と周囲の空気が熱交換する。ここで、冷房時にはパイプ１４が冷やされ、凝縮水がパイプ１４の表面に付着する。
【００１２】
図９は、熱交換器のパイプに従来技術のパイプカバーを取り付けた状態を示す斜視図である。
【００１３】
図３は室内ユニットの断面図である。本実施例の床置式空気調和機は、風向を調整する導風板１０、吸込グリル３から吸い込まれた室内空気を熱交換する熱交換器６、熱交換器６の風上側に配置された吸込側のフィルター８、熱交換器６よりも室内機背面側で且つ風下側に位置し熱交換器６により熱交換された室内空気を吹出部４から送風する室内ファン７、冷房運転時に熱交換器６にて発生した凝縮水を回収し室内ユニット外に排出するための凝縮水受皿９、及び本体の剛性を確保する背面シャーシ１を備える。
【００１４】
ここで、熱交換器６は、上部が室内機前面側に、下部が室内機背面側に傾斜して配置される。従って、冷房運転時に熱交換器６の両端のパイプ１４に凝縮水が付着すると、熱交換器６が前面側に傾斜しているため、付着した凝縮水がそのまま鉛直方向下方に滴下し、滴下した凝縮水が凝縮水受皿９に回収されない可能性がある。このため、熱交換器６のパイプ１４からの凝縮水の滴下をカバーするように、熱交換器６のパイプ１４の前面側にパイプカバー５ａ及びパイプカバー５ｂが配置される。このように配置されたパイプカバー５は、パイプカバーを熱交換器のパイプに取り付けた状態で前面となる面１２の裏側の面が樋として機能して、パイプ１４から滴下した凝縮水はパイプカバー５を流れて凝縮水受皿９に回収される。
【００１５】
図４は従来技術のパイプカバーの構造を示す斜視図、図５は本実施例のパイプカバーの構造を示す斜視図である。パイプカバーの取付爪１１ａにより熱交換器６の両端に位置するパイプ１４を挟み込むことにより、パイプカバー５を熱交換器６のパイプ１４に固定する。パイプカバー５及びパイプカバーの取付爪１１ａは射出成形により整形された樹脂により構成される。
【００１６】
図４に示す従来技術のパイプカバーの構造では、金型をより簡易な構造とするため、パイプカバーの取付爪１１ａは射出成形の金型のキャビティとコアで押し切り構造とする。しかしながら、このようなパイプカバーの構造では、パイプカバーを熱交換器のパイプに取り付けた状態で前面となる面１２に、パイプカバーの取付爪１１ａに対応する切り欠き穴が形成される。しかしながら、上述したように、パイプカバーを熱交換器のパイプに取り付けた状態で前面となる面１２の裏側の面は樋として機能するので、パイプカバーの取付爪１１ａに対応する切り欠き穴が形成されると、この切り欠き穴から凝縮水が鉛直方向に滴下してしまう可能性がある。
【００１７】
図５は本実施例のパイプカバーの構造を示す斜視図である。本実施例のパイプカバー５は、パイプカバーを熱交換器のパイプに取り付けた状態で前面となる面１２に、図４に示すような切り欠き穴を形成しない。パイプカバーを熱交換器のパイプに取り付けた状態で前面となる面１２に切り欠き穴を備えないので、冷房運転時に熱交換器６の両端のパイプ１４に付着した凝縮水は、切り欠き穴から凝縮水が滴下することなく、樋として機能するパイプカバー５を介して、凝縮水受皿９に回収される。尚、このようなパイプカバーの取付爪１１ｂは、スライドを用いた金型構造により形成することができる。
【００１８】
以上説明したように、本実施例の床置式空気調和機によれば、吸込グリル及び吹出部を有する本体と、本体内に位置し、上部を本体の前面側、下部を本体の背面側に傾斜するように配置された熱交換器と、熱交換器の下方に位置する凝縮水受皿と、熱交換器の端部に位置するパイプから滴下した凝縮水を凝縮水受皿に誘導するパイプカバーと、熱交換器と熱交換した室内空気を吹出部より送風する室内ファンとを備え、パイプカバーは、パイプと本体の前面側との間に位置し、パイプに対向する面が樋として機能することによりパイプから滴下した凝縮水を凝縮水受皿に誘導し、パイプカバーのパイプに対向する面には切り欠き穴が形成されないので、熱交換器に取り付けられたパイプカバーにより確実に凝縮水を処理できる。また、パイプに対向する面に形成された取付爪がパイプを挟み込むことによりパイプカバーをパイプに固定するので、簡易な構成でパイプカバーをパイプに固定することができる。
【００１９】
本発明の床置式空気調和機の第２の実施例について、図６及び図７を用いて説明する。尚、本実施例においては、パイプカバー等の基本的な構造及び機能等は第１の実施例と同様であるので詳細な説明は省略する。本実施例においては、第１の実施例と異なるパイプカバーの取付爪１７の構造等について詳細に説明する。
【００２０】
図６はパイプカバーを取り付けた状態を示す平面図である。熱交換器６は、パイプ１４，フィン１３、及びプレート１６を備える。プレート１６にはパイプ１４が挿入される。パイプ１４は拡管されてフィン１３に固定される。第１の実施例と同様に、熱交換器６のパイプ１４から凝縮水が飛散するのを防止するため、パイプ１４の前面側及び側面側をカバーするにようにパイプカバー１５が配置される。フィン１３とプレート１６の間にパイプカバーの取付爪１７を差し込むことにより、パイプカバー１５を熱交換器６のパイプ１４に固定する。詳細は後述する。
【００２１】
図７はパイプカバーの構造を示す斜視図である。パイプカバーの取付爪１７は、パイプカバーを熱交換器のパイプに取り付けた状態で前面となる面１２に対して側面に位置する。
【００２２】
パイプカバーの取付爪１７を、左右方向ではプレート１６とフィン１３の間に挿入し、上下方向では上下に連続するパイプの間に挿入することにより、パイプカバー１５をパイプに固定する。つまり、左右方向では、プレート１６とフィン１３の間にパイプカバーの取付爪１７を挿入して固定するので、左右方向での位置ずれを抑制できる。また、上下方向では、上下に連続するパイプのうち上側のパイプの下端と下側のパイプの上端との間に挿入して固定するので、上下方向の位置ずれを抑制できる。
【００２３】
尚、プレート１６とフィン１３の間、及び、上下に連続するパイプの間に挿入し易いように、パイプカバーの取付爪１７の先端を山状にする。また、弾性力を利用して、上下に連続するパイプの間に挿入し易く、且つ、固定し易いように、パイプカバーの取付爪１７を貫通するように開口を形成する。上下に連続するパイプの間に挿入し後、固定しやすいように、パイプカバーの取付爪１７の上下に窪み部１８を形成する。
【００２４】
このようなパイプカバーの取付爪１７の構造とすることにより、パイプカバーの取付爪１７をプレート１６とフィン１３の間、及び、上下に連続するパイプの間に容易に挿入することができる。また、パイプカバーの取付爪１７の形成も容易である。
【００２５】
以上説明したように、本実施例の床置式空気調和機によれば、第１の実施例と同様に、熱交換器に取り付けられたパイプカバーにより確実に凝縮水を処理できる。また、パイプカバーはパイプに対向する面の側面からパイプに向かうように形成された取付爪を備え、取付爪を熱交換器のフィンとプレートとの間で且つ上下に連続するパイプの間に挿入することによりパイプカバーをパイプに固定するので、簡易な構成で、パイプカバーの取付爪をプレートとフィンの間、及び、上下に連続するパイプの間に容易に挿入することができる。また、取付爪は、先端部が山状に形成され、内部を貫通する開口を有し、パイプに対向する位置に窪み部を有するので、パイプカバーの取付爪をプレートとフィンの間、及び、上下に連続するパイプの間に容易に挿入し易く、且つ、固定し易い。
【符号の説明】
【００２６】
１  背面シャーシ
２  前面カバー
３  吸込グリル
４  吹出口
５，５ａ，５ｂ，１５  パイプカバー
６  熱交換器
７  室内ファン
８  フィルター
９  凝縮水受皿
１０  導風板
１１ａ，１１ｂ，１７  パイプカバーの取付爪
１２  パイプカバーを熱交換器のパイプに取り付けた状態で前面となる面
１３  フィン
１４  パイプ
１６  プレート
【図１】
2012072924.tif 000003
【図２】
2012072924.tif 000004
【図３】
2012072924.tif 000005
【図４】
2012072924.tif 000006
【図５】
2012072924.tif 000007
【図６】
2012072924.tif 000008
【図７】
2012072924.tif 000009
【図８】
2012072924.tif 000010
【図９】
2012072924.tif 000011